(57)【要約】    【課題】側方近傍に外枠１よりも前に突出する島側機器１２がある場合でも、前枠２を閉鎖する際の遊技球の噛み込みを防止でき、前枠２を確実に閉鎖することができるようにする。    【解決手段】外枠１に上下一対のヒンジ手段３，４を介して縦方向のヒンジ軸６廻りに開閉自在に前枠２を枢着し、上下一対のヒンジ手段３，４の内、下ヒンジ手段４は外枠１に固定された固定ブラケット２５と、前枠２に固定され且つ固定ブラケット２５によりヒンジ軸６廻りに回動自在に支持された可動ブラケット２６とを備え、前枠２を閉鎖するときに噛み込む惧れのある、固定ブラケット２５上での遊技球の停留を阻止する停留阻止手段３７を備えている。【選択図】  図２
2010172375.tif 000002
【特許請求の範囲】
【請求項１】
外枠（１）に上下一対のヒンジ手段（３，４）を介して縦方向のヒンジ軸（６）廻りに開閉自在に前枠（２）を枢着し、前記上下一対のヒンジ手段（３，４）の内、下ヒンジ手段（４）は前記外枠（１）に固定された固定ブラケット（２５）と、前記前枠（２）に固定され且つ前記固定ブラケット（２５）により前記ヒンジ軸（６）廻りに回動自在に支持された可動ブラケット（２６）とを備えた弾球遊技機において、前記前枠（２）を閉鎖するときに噛み込む惧れのある、前記固定ブラケット（２５）上での遊技球の停留を阻止する停留阻止手段（３７）を備えたことを特徴とする弾球遊技機。
【請求項２】
前記停留阻止手段（３７）は前記固定ブラケット（２５）上の遊技球を外部へと排除する球排除手段（３８）により構成されていることを特徴とする請求項１に記載の弾球遊技機。
【請求項３】
前記球排除手段（３８）は遊技球を前記外枠（１）の裏側へと排出する排出通路（３９）と、前記固定ブラケット（２５）上の遊技球を前記排出通路（３９）へと案内する案内部（４０）とを有することを特徴とする請求項２に記載の弾球遊技機。
【請求項４】
前記案内部（４０）は前記外枠（１）の縦枠材（７）の前側に配置されていることを特徴とする請求項３に記載の弾球遊技機。
【請求項５】
前記球排除手段（３８）は前記前枠（２）を閉鎖するときに前記固定ブラケット（２５）上の遊技球を前記案内部（４０）へと寄せる球寄せ部材（４１）を有することを特徴とする請求項３又は４に記載の弾球遊技機。
【請求項６】
前記球排除手段（３８）は前記前枠（２）を閉鎖するときに、前記ヒンジ軸（６）廻りの回動により前記固定ブラケット（２５）上の遊技球を前側へと排除する排除部材（４６）を有することを特徴とする請求項２に記載の弾球遊技機。
【請求項７】
前記停留阻止手段（３７）は前記前枠（２）の開閉に連動して出退し且つ突出時に前記固定ブラケット（２５）での遊技球の停留を阻止する阻止部材（５１）を有することを特徴とする請求項１に記載の弾球遊技機。
【請求項８】
前記停留阻止手段（３７）は前記外枠（１）の縦枠材（７）、前記固定ブラケット（２５）を下側から支持する前横枠材（１１）、前記前枠（２）の何れかに設けられ且つ前記阻止部材（５１）が出退自在に収容される収容部（５２）と、前記阻止部材（５１）を突出方向に付勢する付勢手段（５３）とを備え、前記阻止部材（５１）は前記前枠（２）の開閉時に該前枠（２）又は前記外枠（１）との協働動作により出退する出退作動部（５４）を有することを特徴とする請求項７に記載の弾球遊技機。
【請求項９】
前記停留阻止手段（３７）は前記固定ブラケット（２５）上に膨隆し且つ前記前枠（２）の閉鎖時に前記固定ブラケット（２５）上の遊技球を前記前枠（２）又は前記可動ブラケット（２６）との協働動作により前側へと排除する膨隆部（５９）を備えたことを特徴とする請求項１に記載の弾球遊技機。
【発明の詳細な説明】
【技術分野】
【０００１】
本発明は、パチンコ機、アレンジボール機その他の弾球遊技機に関し、前枠を閉鎖するときの下ヒンジ手段上での遊技球の噛み込みを防止するようにしたものである。
【背景技術】
【０００２】
パチンコ機等の弾球遊技機は、外枠と、この外枠に上下一対のヒンジ手段を介して縦方向のヒンジ軸廻りに開閉自在に枢着された前枠とを備え、この前枠に遊技盤等が着脱自在に装着されている。
【０００３】
外枠は左右一対の縦枠材と、この左右一対の縦枠材の上下両端を左右に連結する上下一対の横枠材と、左右一対の縦枠材の前側下部を左右に連結する前横枠材とを備えている。そして、上下一対のヒンジ手段の内、下ヒンジ手段は一方の縦枠材の内面と前横枠材の上面とに固定された固定ブラケットと、前枠に下側に固定され且つ固定ブラケットによりヒンジ軸廻りに回動自在に支持された可動ブラケットとを備え、固定ブラケットに上向きにヒンジ軸が固定され、可動ブラケットにヒンジ軸が嵌合するヒンジ孔が形成されている（特許文献１）。
【先行技術文献】
【特許文献】
【０００４】
【特許文献１】特開平１１−７６５５２号公報
【発明の概要】
【発明が解決しようとする課題】
【０００５】
この種の弾球遊技機を遊技ホールの島設備に設置する場合には、その外枠の上下の横枠材を島設備側に釘付け等により固定するが、球貸し機等の島側機器と弾球遊技機は交互に配置され、しかも島側機器が外枠の前面よりも前側に突出する状態となる。
【０００６】
このため前枠の開放後に下ヒンジ手段側に遊技球を誤って落とした遊技球が固定ブラケット上にあるのを知らずに前枠を閉鎖した場合、その遊技球を外枠と前枠との間で噛み込んでしまう惧れがある。
【０００７】
即ち、外枠の側方が開放状態であれば、下ヒンジ手段の固定ブラケット上に遊技球があっても、ヒンジ軸廻りに前枠が閉鎖方向に回動するときに、その遊技球は前枠の端面等によって押されて固定ブラケット上から排除されるので、遊技球を噛み込むようなことはない。
【０００８】
しかし、外枠に隣接して前に突出する島側機器がある場合には、前枠を閉鎖して行っても、固定ブラケット上の遊技球は島側機器が障害となって固定ブラケット上から排除されず、前枠と島側機器、又は外枠と前枠と島側機器との間に遊技球が噛み込んでしまうことになる。
【０００９】
本発明は、このような従来の問題点に鑑み、側方近傍に外枠よりも前に突出する島側機器がある場合でも、前枠を閉鎖する際の遊技球の噛み込みを防止でき、前枠を確実に閉鎖することができる弾球遊技機を提供することを目的とする。
【課題を解決するための手段】
【００１０】
本発明は、外枠１に上下一対のヒンジ手段３，４を介して縦方向のヒンジ軸６廻りに開閉自在に前枠２を枢着し、前記上下一対のヒンジ手段３，４の内、下ヒンジ手段４は前記外枠１に固定された固定ブラケット２５と、前記前枠２に固定され且つ前記固定ブラケット２５により前記ヒンジ軸６廻りに回動自在に支持された可動ブラケット２６とを備えた弾球遊技機において、前記前枠２を閉鎖するときに噛み込む惧れのある、前記固定ブラケット２５上での遊技球の停留を阻止する停留阻止手段３７を備えたものである。
【発明の効果】
【００１１】
本発明によれば、側方近傍に外枠１よりも前に突出する島側機器１２がある場合でも、前枠２を閉鎖する際の遊技球の噛み込みを防止でき、前枠２を確実に閉鎖することができる利点がある。
【図面の簡単な説明】
【００１２】
【図１】本発明の第１の実施形態を示すパチンコ機の斜視図である。
【図２】同外枠、前枠の分解斜視図である。
【図３】同要部の平面断面図である。
【図４】同要部の側面断面図である。
【図５】同要部の斜視図である。
【図６】本発明の第２の実施形態を示す要部の平面断面図である。
【図７】本発明の第３の実施形態を示す要図の斜視図である。
【図８】同要部の正面断面図である。
【図９】本発明の第４の実施形態を示す要部の平面断面図である。
【図１０】同要部の正面断面図である。
【図１１】本発明の第５の実施形態を示す要部の斜視図である。
【図１２】同要部の平面断面図である。
【図１３】同要部の側面図である。
【図１４】本発明の第６の実施形態を示す要部の平面断面図である。
【図１５】同要部の側面断面図である。
【図１６】本発明の第７の実施形態を示す要部の側面断面図である。
【図１７】同要部の平面断面図である。
【図１８】本発明の第８の実施形態を示す要部の斜視図である。
【図１９】同要部の側面断面図である。
【図２０】同要部の平面断面図である。
【図２１】本発明の第９の実施形態を示す要部の正面断面図である。
【図２２】同要部の側面断面図である。
【図２３】本発明の第１０の実施形態を示す要部の平面断面図である。
【図２４】同要部の側面断面図である。
【発明を実施するための形態】
【００１３】
以下、本発明の実施形態を図面に基づいて詳述する。図１〜図５は本発明をパチンコ機に採用した第１の実施例を例示する。パチンコ機は、図１に示すように矩形枠状の外枠１と、この外枠１の前側に配置された前枠２とを備え、前枠２は上下一対の上ヒンジ手段３及び下ヒンジ手段４を介して上下方向のヒンジ軸５，６廻りに開閉、着脱自在に枢支されている。
【００１４】
外枠１は図２に示すように、相対向して縦方向に配置された左右一対の縦枠材７，８と、この左右一対の縦枠材７，８の上下両端を左右に連結する上下一対の横枠材９，１０と、左右一対の縦枠材７，８の前下部を左右に連結する前横枠材１１とを備え、これらにより縦長の矩形枠状に構成されている。前横枠材１１は左右一対の縦枠材７，８の前面に固定されると共に、下側の横枠材１０の前端側の上面に固定されている。
【００１５】
なお、パチンコ機を遊技ホールの島設備に設置する際には、夫々の上下の横枠材９，１０が釘止め等により島設備に固定され、各縦枠材７，８に近接して球貸し機等の島側機器１２が配置された状態となる。
【００１６】
前枠２にはその前面にガラス扉１４と前面板１５とが上下に配置され、また前面板１５の下側に灰皿１６、余剰球用の受け皿１７、発射手段（図示省略）用の発射ハンドル１８等が配置されている。ガラス扉１４、前面板１５は前枠２に開閉自在に枢着され、そのガラス扉１４の裏側に対応して前枠２に遊技盤（図示省略）が、前面板１５の裏側に対応して前枠２に発射手段が夫々装着されている。前面板１５には発射用の遊技球を貯留する貯留皿１９が設けられている。なお、灰皿１６、受け皿１７等は省略してもよい。
【００１７】
上ヒンジ手段３は図２に示すように、縦枠材７と上側の横枠材９とに跨がって外枠１に固定された固定ブラケット２２と、前枠２の上隅部に固定され且つ固定ブラケット２２によりヒンジ軸５廻りに回動自在に支承された可動ブラケット２３とを有し、固定ブラケット２２の前端部にヒンジ孔２４が、固定ブラケット２３の前端部に下向きに突出し且つヒンジ孔２４に嵌合するヒンジ軸５が夫々設けられている。
【００１８】
下ヒンジ手段４は図２〜図５に示すように、縦枠材７と前横枠材１１とに跨がって外枠１に固定された固定ブラケット２５と、前枠２の下隅部に固定され且つ固定ブラケット２５によりヒンジ軸６廻りに回動自在に支承された可動ブラケット２６とを有し、固定ブラケット２５の前端部に上向きに突出するヒンジ軸６が、固定ブラケット２５の前端部にヒンジ軸６が嵌合するヒンジ孔２７が夫々設けられている。
【００１９】
固定ブラケット２５は縦枠材７の前側から内側にわたって前横枠材１１の一端側の上面に配置されネジ等の固定具２９により前横枠材１１の上面に固定された取り付け部３０と、この取り付け部３０から一体に前側に突出する前突出部３１と、縦枠材７の内側で取り付け部３０から一体に後側に突出する後突出部３２と、この後突出部３２から縦枠材７の内面に沿って起立してネジ等の固定具３３により縦枠材７に固定された縦取り付け部３４とを有し、前突出部３１の前端部に上向きのヒンジ軸６が固定されている。
【００２０】
なお、前横枠材１１には固定ブラケット２５の取り付け部３０が収まる凹部３５が設けられており、固定ブラケット２５の上面は前横枠材１１の上面と略面一状になっている。一方、可動ブラケット２６の下面は前枠２の下面と略面一状であり、前枠２は閉鎖したときには前横枠材１１上に載った状態となる。
【００２１】
下ヒンジ手段４の近傍には、前枠２を閉鎖する際において、下ヒンジ手段４の固定ブラケット２５上での遊技球の停留を阻止する停留阻止手段３７が設けられている。この停留阻止手段３７は例えば前枠２を閉鎖するまでに固定ブラケット２５上の遊技球を外部へと排除する球排除手段３８により構成されている。
【００２２】
球排除手段３８は前枠２を閉鎖する際に噛み込む惧れがある、下ヒンジ手段４の固定ブラケット２５上の遊技球を外部に排除するためのものであり、具体的には固定ブラケット２５上に載った遊技球が前枠２と島側機器１２、又は前枠２と島側機器１２と外枠１の縦枠材７との間に噛み込まないように、縦枠材７の前側で固定ブラケット２５上にある遊技球を前横枠材１１の裏側へと排出するようになっている。
【００２３】
この球排除手段３８は、図３〜図５に示すように、外枠１の縦枠材７に設けられた排出通路３９と、縦枠材７の前側で固定ブラケット２５の取り付け部３０に設けられ且つ固定ブラケット２５上の遊技球を排出通路３９へと案内する案内部４０と、前枠２を閉鎖するときに、案内部４０から外れて固定ブラケット２５上に留まっている遊技球を案内部４０側へと寄せる球寄せ部材４１とを備えている。
【００２４】
排出通路３９は縦枠材７の前面から内面側に跨がって縦枠材７を内側から切り欠いて形成され、遊技球を前横枠材１１の裏側で縦枠材７の内側へと案内するようになっている。案内部４０は後端側が低くなる傾斜溝状であって、縦枠材７の前側で固定ブラケット２５の取り付け部３０に前後方向に設けられ、その後端が排出通路３９の開口端に対応している。球寄せ部材４１は前枠２の下端部の端面又は可動ブラケット２６の端面により構成され、前枠２がヒンジ軸６廻りに回動して閉鎖するときの閉鎖動作時に、前枠２の端面に対応する範囲で固定ブラケット２５上に停止する遊技球を案内部４０へと寄せるようになっている。
【００２５】
なお、前横枠材１１の上面には溝状の案内部４０に対応して凹部４２が設けられている。球寄せ部材４１は前枠２に別途設けてもよい。前横枠材１１の固定ブラケット２５と反対側の端部の上面には、図２に示すように縦枠材８に対応して前下りに傾斜する傾斜面４３が設けられ、前横枠材１１上に遊技球が落下しても、その遊技球が傾斜面４３に沿って転がり前側へと落下するようになっている。
【００２６】
このようなパチンコ機では、下ヒンジ手段４には固定ブラケット２５があるため、前枠２を開放した際には、図３に示すように固定ブラケット２５上に縦枠材７、島側機器１２、前枠２の端面によって三方が取り囲まれた閉塞空間が形成される。
【００２７】
しかし、この実施例のように球排除手段３８により構成された停留阻止手段３７を設けることにより、仮に下ヒンジ手段４の固定ブラケット２５上に遊技球が載るようなことがあっても、遅くとも前枠２をヒンジ軸６廻りに回動させて閉鎖する際には、固定ブラケット２５上の遊技球を外部へと排除できるので、遊技球の噛み込みを未然に防止することができる。
【００２８】
即ち、固定ブラケット２５上に落下した遊技球が案内部４０上に載れば、その遊技球は案内部４０により排出通路３９へと案内された後、排出通路３９を経て前横枠材１１の裏側へと排出されて行く。
【００２９】
また遊技球が案内部４０から外れた位置で停止して、図３に二点鎖線で示すように固定ブラケット２５上に載った状態で留まることがある。この場合には、前枠２が図３の実線位置からヒンジ軸６廻りに閉鎖方向へと回動するときに、前枠２の端面で構成された球寄せ部材４１が固定ブラケット２５上の遊技球を案内部４０へと寄せて行く。そして、遊技球が案内部４０上に載ると、前述と同様に案内部４０、排出通路３９を経て遊技球を前横枠材１１の裏側へと排出することができる。
【００３０】
従って、固定ブラケット２５上に落下した遊技球が直接案内部４０上に載れば、その遊技球を案内部４０から排出通路３９を経て排出でき、また遊技球が案内部４０から外れた位置で停止した場合でも、前枠２を閉鎖する閉鎖動作中に固定ブラケット２５上の遊技球を排除することができるので、島側機器１２があっても、前枠２の閉鎖時に遊技球を噛み込むような惧れはない。
【００３１】
また案内部４０は固定ブラケット２５上でも島側機器１２に近い側に設けておけば、案内部４０と島側機器１２との間の固定ブラケット２５上で遊技球が安定することは殆どない。例えば、固定ブラケット２５の端縁から案内部４０の傾斜開始位置までの寸法を遊技球の略半径未満としてもよい。
【００３２】
図６は本発明の第２の実施例を例示する。案内部４０は固定ブラケット２５の端縁に近接して設けられ、その溝底部は後方側が外枠１の縦枠材７の内側寄りとなるように非対称形状になっている。他の構成は第１の実施例と同様である。
【００３３】
このように案内部４０は固定ブラケット２５の端縁側に偏る非対称形状に構成しても、第１の実施例と同様に固定ブラケット２５上の遊技球を排除することができる。
【００３４】
図７、図８は本発明の第３の実施例を例示する。この実施例の球排除手段３８では、固定ブラケット２５の上面には、取り付け部３０から前突出部３１に跨がる大きさの案内部４０が凹入状に形成され、その案内部４０の前側から左右両側にわたって、可動ブラケット２６を摺動自在に支承する支承部４４が平坦状に形成されている。
【００３５】
このように固定ブラケット２５の上面に案内部４０を形成しておけば、固定ブラケット２５上に落下する遊技球の殆どを案内部４０から排出通路３９へと直接案内することができる。従って、第１の実施例のように前枠２側の球寄せ部材４１を省略することもできる。また案内部４０の周縁部に、可動ブラケット２６を摺動自在に支承する支承部４４を設けることにより、固定ブラケット２５に大きな案内部４０があるにも拘わらず、固定ブラケット２５により可動ブラケット２６を確実に支持できる。
【００３６】
図９、図１０は本発明の第４の実施例を例示する。この実施例の球排除手段３８では、固定ブラケット２５には、縦枠材７の前側に対応して取り付け部３０に案内部４０が開口状に形成され、この案内部４０の下側に連通するように前横枠材１１から縦枠材７に跨がって排出通路３９が形成されている。
【００３７】
このように排出通路３９へと遊技球を案内するための案内部４０を固定ブラケット２５に開口状に設けることも可能である。この場合にも固定ブラケット２５上の遊技球を案内部４０から排出通路３９を経て外枠１の裏側へと排出することができる。なお、排出通路３９は前横枠材１１の裏側に遊技球を排出するように前横枠材１１にのみ設けることも可能である。
【００３８】
図１１〜図１３は本発明の第５の実施例を例示する。この実施例の球排除手段３８は、前枠２を閉鎖するときに、ヒンジ軸６廻りの回動により固定ブラケット２５上の遊技球を前側へと排除する排除部材４６を備えている。
【００３９】
この排除部材４６は前枠２の遊端側と反対の端縁である島側機器１２に対向して前枠２の下端部で固定ブラケット２５の上側近傍に配置され、前枠２を閉鎖方向に回動させたときに遊技球を前側へと掬う掬い部４７と、掬い部４７で掬った遊技球を前側へと誘導する誘導部４８とを有する。
【００４０】
掬い部４７は前枠２をヒンジ軸６廻りに閉鎖方向に回動させたときに、縦枠材７と島側機器１２とに当接する遊技球に対して中心よりも後側に当接して、その遊技球を前側へと掬い出すようになっている。誘導部４８は掬い部４７で掬った遊技球を前側へと誘導するように円弧状、傾斜状等の適宜形状に構成されている。
【００４１】
なお、可動ブラケット２６の端縁には、排除部材４６による遊技球の排除に支障を来さないように切り欠き部４９が設けられている。また排除部材４６は板金材、合成樹脂材等の適宜材料により構成され、前枠２の端縁に固定されているが、前枠２と一体に成形してもよいし、可動ブラケット２６に一体に設けてもよい。
【００４２】
この場合には、前枠２を閉鎖方向に回動させると、排除部材４６の掬い部４７が固定ブラケット２５上の遊技球を掬い、その遊技球を誘導部４８を介して固定ブラケット２５の前側へと誘導するので、前枠２の閉鎖に連動して固定ブラケット２５上の遊技球を排除することができる。また掬い部４７を有する排除部材４６を前枠２の端縁に固定すればよいので、構造的にも簡素化できる。
【００４３】
図１４、図１５は本発明の第６の実施例を例示する。この実施例の停留阻止手段３７は、前枠２のヒンジ軸６廻りの開閉動作に連動して出退する阻止部材５１を備え、前枠２が開放状態のときに縦枠材７の前側に突出して、縦枠材７の前側で固定ブラケット２５上へと落下する遊技球を受けて前側へと排除するようになっている。
【００４４】
即ち、停留阻止手段３７は固定ブラケット２５の上側近傍に配置された阻止部材５１と、外枠１の縦枠材７に設けられ且つ阻止部材５１を前後方向に出退自在に収容する収容部５２と、阻止部材５１を突出方向に付勢するバネ（付勢手段）５３とを備え、阻止部材５１には前枠２の開閉時に前枠２との協働動作により阻止部材５１が出退するように出退作動部５４が設けられている。
【００４５】
阻止部材５１は前端部の上面に球衝突部５５が、島側機器１２と反対の前枠２側の側面に出退作動部５４が設けられている。球衝突部５５は上方から落下する遊技球が衝突したときにそれを前側へと跳ね返すもので、前下りの傾斜状になっている。出退作動部５４は円弧状、その他の摺動面により構成され、前枠２の対向面との相対摺動による協働作用により、前枠２の開閉動作に連動して阻止部材５１が出退するようになっている。
【００４６】
阻止部材５１は縦枠材７内に固定された案内部材５６により前後方向に摺動自在に保持されており、その案内部材５６内が収容部５２となっている。また収容部５２内にバネ５３が設けられている。
【００４７】
この実施例では、前枠２が閉鎖状態のときには、阻止部材５１は前枠２により押圧されて縦枠材７内に収まっている。前枠２をヒンジ軸６廻りに矢示方向に回動させて開放すると、バネ５３で付勢された阻止部材５１が前枠２の回動に伴って前進し、その球衝突部５５が縦枠材７の前側で固定ブラケット２５上に突出する。
【００４８】
このように阻止部材５１の球衝突部５５が固定ブラケット２５上に突出すると、前枠２と外枠１の縦枠材７と島側機器１２との間に遊技球が落下しても、その遊技球は球衝突部５５に衝突して前側に跳ね返されるので、前枠２と島側機器１２との間を経て可動ブラケット２６の前端側から落下する等により排除される。従って、固定ブラケット２５上での遊技球の停留を阻止でき、前枠２を閉鎖したときの遊技球の噛み込みを未然に防止することができる。
【００４９】
前枠２を閉鎖方向に回動すると、前枠２により阻止部材５１がバネ５３に抗して押圧され、縦枠材７内へと後退する。このように前枠２の開閉動作に連動して阻止部材５１を出退させることにより、阻止部材５１を別途操作する必要がなく取り扱いが容易であり、また阻止部材５１によって前枠２が閉鎖できなくなる等の問題も生じない。
【００５０】
図１６、図１７は本発明の第７の実施例を例示する。この実施例の停留阻止手段３７は、外枠１の縦枠材７の前側で前横枠材１１上に設けられており、その阻止部材５１は固定ブラケット２５に対して下側から上下方向に出退自在になっている。
【００５１】
阻止部材５１は固定ブラケット２５に一体又は別体に設けられ且つ前横枠材１１に形成された収容部５２内に突出する摺動案内部５７により上下方向に摺動自在に支持され、バネ５３により上向きに付勢されている。阻止部材５１は上端に球衝突部５５を有し、この球衝突部５５が上方から落下する遊技球を前側、内側等の滞留し難い方向に跳ね返すようになっている。
【００５２】
また球衝突部５５は平面形状が略矩形状又は略扇形状であって、可動ブラケット２６が相対摺動する出退作動部５４を兼用しており、前枠２の開閉動作に連動して、この出退作動部５４と可動ブラケット２６との協働動作により、前枠２の閉鎖時にバネ５３に抗して下方に後退し、前枠２の開放時にバネ５３により上方に突出するようになっている。
【００５３】
この場合には前枠２が開放すると、阻止部材５１がバネ５３により上昇し、その上端の球衝突部５５が固定ブラケット２５よりも上方に突出する。このため外枠１の縦枠材７の前側で固定ブラケット２５上に落下する遊技球があっても、その遊技球は阻止部材５１の球衝突部５５に衝突して前側に跳ね飛ばされるので、固定ブラケット２５上に遊技球が停留することはない。
【００５４】
前枠２を閉鎖すると、可動ブラケット２６が球衝突部５５上を摺動して阻止部材５１をバネ５３に抗して押圧するので、阻止部材５１が収容部５２内に収容される。このため前枠２を開閉する上で阻止部材５１が障害となることはない。
【００５５】
図１８〜図２０は本発明の第８の実施例を例示する。この実施例の停留阻止手段３７は、固定ブラケット２５の取り付け部３０に一体に形成された膨隆部５９を備えている。この膨隆部５９は外枠１の縦枠材７の前側に近接して固定ブラケット２５の取り付け部３０の隅部に設けられており、落下する遊技球が衝突したときにその遊技球を固定ブラケット２５上に滞留し難い方向に跳ね飛ばし、また膨隆部５９の近傍で固定ブラケット２５上に遊技球が停留する場合には、前枠２を閉鎖するときに前枠２又は可動ブラケット２６との協働作用によりその遊技球を前側へと案内して、前枠２と島側機器１２との間から排出するようになっている。なお、可動ブラケット２６には、前枠２の閉鎖時に膨隆部５９と対応するように切り欠き部６０が設けられている。
【００５６】
このように固定ブラケット２５に膨隆部５９を設けても、固定ブラケット２５上での遊技球の停留による遊技球の噛み込みを防止することができる。例えば、外枠１の縦枠材７の近傍で固定ブラケット２５上に落下する遊技球があっても、その遊技球は膨隆部５９に衝突することにより排除することができる。従って、固定ブラケット２５の取り付け部３０の端部に遊技球が停留するようなことはない。
【００５７】
また図２０に示すように膨隆部５９の近傍で固定ブラケット２５上に遊技球が停留している場合でも、前枠２が閉鎖方向に回動すると、その遊技球は前枠２又は可動ブラケット２６により押されて膨隆部５９側へと移動した後、この膨隆部５９により前向きに案内され、前枠２と島側機器１２との間を経て固定ブラケット２５の前端から落下する。
【００５８】
図２１、図２２は本発明の第９の実施例を例示する。この実施例の停留阻止手段３７は、固定ブラケット２５の取り付け部３０に縦枠材７の前側に対応して形成された切り欠き部６０と、この切り欠き部６０に対応して膨隆部５９が形成された阻止部材５１とを備えている。
【００５９】
阻止部材５１は帯板バネ製であって、前横枠材１１と固定ブラケット２５との間に介在され且つ固定ブラケット２５用の固定具２９により前横枠材１１に固定される取り付け部６１と、この取り付け部６１の長手方向の一端側に設けられ且つ固定ブラケット２５よりも上側に突出する膨隆部５９とを備え、縦枠材７の前面に当接又は近接して配置されている。
【００６０】
なお、膨隆部５９は阻止部材５１自体の弾性により固定ブラケット２５の上面に対して上下に出退自在であり、前枠２を閉鎖状態にしたときには、その可動ブラケット２６の下側に当接している。また阻止部材５１には膨隆部５９の端部から下側に屈曲する屈曲部６２を有し、その屈曲部６２に対応して前横枠材１１に段部６３が設けられている。
【００６１】
この場合にも、第８の実施例と同様に遊技球の噛み込みを防止することができる。
【００６２】
図２３、図２４は本発明の第１０の実施例を例示する。この実施例の停留阻止手段３７は、固定ブラケット２５の上面に形成された排出溝６５により構成されている。排出溝６５は外枠１の縦枠材７の前側で且つ前横枠材１１の上側から縦枠材７の内側で前横枠材１１の裏側へと緩やかに傾斜して、固定ブラケット２５の取り付け部３０から後突出部３２に跨がって設けられている。
【００６３】
なお、固定ブラケット２５の上面は、排出溝６５を除く他の部分が略平坦状であり、その部分で可動ブラケット２６を受けるようになっている。
【００６４】
このように固定ブラケット２５に排出溝６５を設けておけば、縦枠材７の前側近傍で固定ブラケット２５上に遊技球が落下しても、排出溝６５を介してその遊技球を排除することができる。従って、浅い排出溝６５で十分で構造的にも非常に簡単であり、容易且つ安価に実施できる。また浅い排出溝６５を設けることにより、固定ブラケット２５自体の剛性も向上する。
【００６５】
以上、本発明の各実施例について詳述したが、本発明はこの各実施例に限定されるものではなく、本発明の趣旨を逸脱しない範囲で種々の変更が可能である。例えば、実施例では、下ヒンジ手段４は外枠１側に固定ブラケット２５を、前枠２側に可動ブラケット２６を備えたものであれば、固定ブラケット２５にヒンジ孔２７を設け、このヒンジ孔２７に嵌合するヒンジ軸６を可動ブラケット２６に下向きに設けたものでもよい。
【００６６】
阻止部材５１を出退自在に設けるに際しては、実施例に例示のように外枠１の縦枠材７、前横枠材１１に設けられた収容部５２に阻止部材５１を出退自在に設ける他、前枠２に収容部５２を設け、この収容部５２により阻止部材５１を出退自在に収容するようにしてもよい。
【００６７】
また停留阻止手段３７として各種の構造のものを例示しているが、この停留阻止手段３７は前枠２を閉鎖するときに噛み込む惧れのある、固定ブラケット２５上での遊技球の停留を阻止する機能を備えたものであればよく、例えば縦枠材７の前側で固定ブラケット２５上に蛇腹式、弾性発泡材式の阻止部材５１を設けて、この阻止部材５１により固定ブラケット２５上での遊技球の停留を阻止するようにしてもよい。その他、アレンジボール機、雀球遊技機等の各種の弾球遊技機においても同様に実施可能であることは云うまでもない。
【符号の説明】
【００６８】
１  外枠
２  前枠
３  上ヒンジ手段
４  下ヒンジ手段
５，６  ヒンジ軸
７  縦枠材
１１  前横枠材
２５  固定ブラケット
２６  可動ブラケット
３７  停留阻止手段
３８  球排除手段
３９  排出通路
４０  案内部
４１  寄せ部材
４６  排除部材
５１  阻止部材
５２  収容部
５３  バネ（付勢手段）
５４  出退作動部
５９  膨隆部
【図１】
2010172375.tif 000003
【図２】
2010172375.tif 000004
【図３】
2010172375.tif 000005
【図４】
2010172375.tif 000006
【図５】
2010172375.tif 000007
【図６】
2010172375.tif 000008
【図７】
2010172375.tif 000009
【図８】
2010172375.tif 000010
【図９】
2010172375.tif 000011
【図１０】
2010172375.tif 000012
【図１１】
2010172375.tif 000013
【図１２】
2010172375.tif 000014
【図１３】
2010172375.tif 000015
【図１４】
2010172375.tif 000016
【図１５】
2010172375.tif 000017
【図１６】
2010172375.tif 000018
【図１７】
2010172375.tif 000019
【図１８】
2010172375.tif 000020
【図１９】
2010172375.tif 000021
【図２０】
2010172375.tif 000022
【図２１】
2010172375.tif 000023
【図２２】
2010172375.tif 000024
【図２３】
2010172375.tif 000025
【図２４】
2010172375.tif 000026